(57)【要約】【課題】ハンドストラップの通常使用時にクリーニングクロスが邪魔にならないように保持配置とするとともに、携帯機器の汚れを取り除くときにはクリーニングクロスを使用状態に容易に持ち来すこと。【解決手段】携帯機器に用いられるパッド４を有するハンドストラップ１において、一方の端部に携帯機器と連結する金具１３を設け、他方の端部に携帯機器の汚れを取り除くクリーニングクロス５を付設し、ハンドストラップとして機能している状態で、クリーニングクロスの付設された他方の端部はパッドの折り畳み部で覆われる構成とする。また、クリーニングクロスの付設された面と同一のハンドストラップ面にマジックテープ２，３を付設し、ハンドストラップを携帯機器の接続部で折り返してマジックテープ同士を結合させる構成とする。【選択図】図１
2005304917.tif 000002
【特許請求の範囲】
【請求項１】
携帯機器に用いられるパッドを有するハンドストラップにおいて、
一方の端部に前記携帯機器と連結する金具を設け、他方の端部に前記携帯機器の汚れを取り除くクリーニングクロスを付設し、
ハンドストラップとして機能している状態で、前記クリーニングクロスの付設された他方の端部は前記パッドの折り畳み部で覆われる
ことを特徴とするハンドストラップ。
【請求項２】
請求項１において、
前記クリーニングクロスの付設された面と同一のハンドストラップ面にマジックテープを付設し、前記ハンドストラップを前記携帯機器の接続部で折り返して前記マジックテープ同士を結合させる
ことを特徴とするハンドストラップ。
【請求項３】
請求項２において、
前記パッドの折り畳みを解除し、前記マジックテープの結合を解除することによって、前記クリーニングクロスの付設されたハンドストラップの他方の端部を引き出す
ことを特徴とするハンドストラップ。
【請求項４】
請求項１、２又は３において、
表示部と光学部を有する携帯機器に使用されることを特徴とするハンドストラップ。
【請求項５】
請求項１、２又は３において、
前記クリーニングクロスは不織布からなることを特徴とするハンドストラップ。
【請求項６】
請求項１ないし５のいずれか１つの請求項に記載されたハンドストラップを備えた携帯機器。
【発明の詳細な説明】
【技術分野】
【０００１】
本発明は、表示パネルや光学レンズを有するビデオカメラ、ＰＤＡ等に取り付けて使用するハンドストラップに関する。
【背景技術】
【０００２】
従来、携帯機器に使用されるハンドストラップが、携帯機器の表面等の埃を落とすという機能をも果たすことを目的として、ハンドストラップにクリーニングクロスを備えた技術が既に提案されている（例えば、特許文献１を参照）。
【特許文献１】特開２００２−２０９６２６
【発明の開示】
【発明が解決しようとする課題】
【０００３】
しかしながら、上述した技術では、ハンドストラップとクリーニングクロスの二つの部材が携帯機器に繋がっており、このため携帯時には嵩張り、携帯機器の使用時に、クリーニングクロスが邪魔になるといった課題が発生し、携帯性を阻害する要因になっていた。
【０００４】
本発明の目的は、ハンドストラップの通常使用時にクリーニングクロスが邪魔にならないように保持配置とするとともに、携帯機器の汚れを取り除くときにはクリーニングクロスを使用状態に容易に持ち来すことのできるハンドストラップを提供することにある。
【課題を解決するための手段】
【０００５】
前記課題を解決するために、本発明は主として次のような構成を採用する。  
携帯機器に用いられるパッドを有するハンドストラップにおいて、
一方の端部に前記携帯機器と連結する金具を設け、他方の端部に前記携帯機器の汚れを取り除くクリーニングクロスを付設し、
ハンドストラップとして機能している状態で、前記クリーニングクロスの付設された他方の端部は前記パッドの折り畳み部で覆われる構成とする。
【０００６】
また、前記ハンドストラップにおいて、前記クリーニングクロスの付設された面と同一のハンドストラップ面にマジックテープを付設し、前記ハンドストラップを前記携帯機器の接続部で折り返して前記マジックテープ同士を結合させる構成とする。
【発明の効果】
【０００７】
ハンドストラップとクリーニングクロスが一体となって取り付けられているので、クリーニングクロスの持ち運びに煩わしさを感じたりすることがない。
【０００８】
また、クリーニングクロスがハンドストラップ使用時にパッドに覆われているので、クリーニングクロス自体に塵が付着することが少なく、使い勝手が良い。
【発明を実施するための最良の形態】
【０００９】
本発明のハンドストラップに係る実施の形態について、実施例を挙げて図面を参照しながら以下詳細に説明する。図１は本発明のハンドストラップに係る実施例の構成を示す図である。図２は本実施例のハンドストラップをビデオカメラに取り付けた状態を示す図である。図３は本実施例のハンドストラップを用いてビデオカメラ表示部のクリーニング状況を説明する図である。
【００１０】
図面において、１はハンドストラップ、２，３はマジックテープ、４はパッド、５はクリーニングクロス、６は表示部、７Ａ，７Ｂはホック、１０はビデオカメラ、１１は光学レンズ部、１２はハンドグリップ部、１３は取り付け金具、１４はハンドストラップ接続金具、をそれぞれ表す。
【００１１】
図１において、１はビデオカメラの携帯に用いられる帯状部材のハンドストラップ、４はハンドストラップのパッド、５は不織布等からなるクリーニングクロス、２と３は、クリーニングクロス５と同一面に設けたマジックテープ、１３はハンドストラップをビデオカメラに接続（固定）するための金具、である。
【００１２】
図２は、ハンドストラップを携帯機器の一構成例であるビデオカメラ１０に取り付けた状態の側面図である。図２で、１１は光学レンズ部、１２はビデオカメラ１０のハンドグリップ部、１４はハンドストラップ接続金具を示す。ハンドストラップ１の取り付け方法は、ハンドストラップ１の取り付け金具１３をビデオカメラ１０に取り付けた後に、ハンドストラップ１の他端（取り付け金具１３の反対側の端部）が、ビデオカメラ１０に固定されているハンドストラップ接続金具１４のスリット部に挿通され、マジックテープ２と３が相対するように折り返す。
【００１３】
ビデオカメラ１０のハンドグリップ部１２とハンドストラップ１との隙間が使用者の手の厚みにフィットするように、ハンドストラップ１の折り返し長を調整し、マジックテープ２と３を圧接し固定する。次に、パッド４の上部を、図１に示すＸ−Ｘ’を軸として手前に折り畳んでホック７Ａ，７Ｂで止める。パッド４を折り畳むことによって、折り返したクリーニングクロス５における自由端のふらつきを防ぐことができ、さらに、クリーニングクロスに塵埃が付くことが少なくなる。また、ビデオカメラ１０のハンドグリップ部１２とパッド４との隙間にハンドストラップ１の他端部が介在することはない。
【００１４】
図３はビデオカメラ１０を斜底部から見た図である。ビデオカメラ１０の表示部６は開閉式になっており、使用時は図３のように開いた状態で被写体をモニタしながら撮影する。ここで、表示部６が汚れた場合、図２のパッド４の折り畳み部（Ｘ−Ｘ’軸）を開き、ハンドストラップ１の他端を引っ張ることによりマジックテープ２，３での密着が開放する。表示部６の汚れた部分をハンドストラップ１の他端に設けたクリーニングクロス５で擦ることによって、表示部の汚れを取り除くことができる。
【００１５】
以上の説明では、携帯機器としてビデオカメラを例示したが、これに限らず本発明のハンドスラップを使用するすべての携帯機器に本発明のハンドストラップが適用されるものである。
【図面の簡単な説明】
【００１６】
【図１】本発明のハンドストラップに係る実施例の構成を示す図である。
【図２】本実施例のハンドストラップをビデオカメラに取り付けた状態を示す図である。
【図３】本実施例のハンドストラップを用いてビデオカメラ表示部のクリーニング状況を説明する図である。
【符号の説明】
【００１７】
１  ハンドストラップ
２，３  マジックテープ
４  パッド
５  クリーニングクロス
６  表示部
７Ａ，７Ｂ  ホック
１０  ビデオカメラ
１１  光学レンズ部
１２  ハンドグリップ部
１３  取り付け金具
１４  ハンドストラップ接続金具
【図１】
2005304917.tif 000003
【図２】
2005304917.tif 000004
【図３】
2005304917.tif 000005